(57)【要約】血管内に配置されたガイドワイヤに固定されたフィルターを搬送および／もしくは回収するための方法および装置が開示される。本発明によるシステムは、基端部、先端部および外部シャフトルーメンを構成する壁を有する外部シャフトからなる。システムはまた、外部シャフトルーメン内に配置されたストッパ機構を有する。ストッパ機構は、ガイドワイヤおよび外部シャフト間の軸方向における相対的な移動が任意に防止されるように好適に構成される。
2005506104.tif 000002
【特許請求の範囲】
【請求項１】
血管内に配置されたガイドワイヤに固定されたフィルターを操作するシステムであって、
基端部、先端部および外部シャフトルーメンを構成する壁を有する外部シャフトと、
ガイドワイヤに外部シャフトの壁を通過させて、ガイドワイヤを部分的にシャフトルーメン内に配置させるために、外部シャフトの壁を貫通する基端ガイドワイヤポートと、
基端ガイドワイヤポートの先端方向の外部シャフトに取り付けられたストッパ機構とからなるシステム。
【請求項２】
ストッパ機構は外部シャフトに固定されたストッパ部材を有する請求項１に記載のシステム。
【請求項３】
ストッパ部材は先端ガイドワイヤポートを構成する請求項２に記載のシステム。
【請求項４】
ストッパ部材は口金を有する請求項２に記載のシステム。
【請求項５】
ストッパ部材は１組の把持具からなる請求項２に記載のシステム。
【請求項６】
ストッパ機構はガイドワイヤに固定されたストッパを有する請求項１に記載のシステム。
【請求項７】
ストッパ機構はガイドワイヤに対して機械的に係合するように構成される請求項１に記載のシステム。
【請求項８】
ストッパ機構はガイドワイヤに対して摩擦係合するように構成される請求項１に記載のシステム。
【請求項９】
ストッパ機構はガイドワイヤに圧縮力を加えるように構成される請求項１に記載のシステム。
【請求項１０】
血管内に配置されたガイドワイヤに固定されたフィルターを操作するシステムであって、
基端部、先端部および外部シャフトルーメンを構成する壁を有する外部シャフトと、
外部シャフトに固定されたストッパ部材およびガイドワイヤに固定されたストッパからなるストッパ機構と、
前記ストッパ部材は内径部分を有する開口部を構成することと、
前記ストッパはストッパ部材によって構成される開口部の内径部分より大きい外径部分を有することとからなるシステム。
【請求項１１】
ストッパ部材は環からなる請求項１０に記載のシステム。
【請求項１２】
ストッパ部材は口金からなる請求項１０に記載のシステム。
【請求項１３】
ストッパ部材は１組の把持具からなる請求項１０に記載のシステム。
【請求項１４】
ストッパ部材は先端合わせ面からなる請求項１０に記載のシステム。
【請求項１５】
ストッパは基端合わせ面からなる請求項１０に記載のシステム。
【請求項１６】
ストッパはストッパ部材に接触して配置するように構成される請求項１０に記載のシステム。
【請求項１７】
ストッパ部材は先端合わせ面からなり、
ストッパは基端合わせ面からなることと、
ストッパは、ストッパの基端合わせ面が、ストッパ部材の先端合わせ面に接触して配置するように構成されることとを特徴とする請求項１０に記載のシステム。
【請求項１８】
外部シャフトの壁を貫通する基端ガイドワイヤポートをさらに有する請求項１０に記載のシステム。
【請求項１９】
血管内に配置されたガイドワイヤに固定されたフィルターを操作するシステムであって、
基端部、先端部および外部シャフトルーメンを構成する壁を有する外部シャフトと、
シャフトルーメン内に摺動するように配置された内部シャフトと、
外部シャフトに固定されたグリッパーと、
同グリッパーはガイドワイヤを把持するための湾曲していない第１形状および湾曲した第２形状を有することとからなるシステム。
【請求項２０】
グリッパーは、内部シャフトおよび外部シャフト間の軸方向における相対的な移動により、グリッパーを押圧して湾曲した形状を有するように構成される請求項１に記載のシステム。
【請求項２１】
グリッパーは、内部シャフトおよび外部シャフト間の軸方向における相対的な移動により、グリッパーがガイドワイヤを把持するように構成される請求項１に記載のシステム。
【請求項２２】
グリッパーは１組の把持具からなる請求項１に記載のシステム。
【請求項２３】
グリッパーは口金からなる請求項１に記載のシステム。
【請求項２４】
血管内に配置されたガイドワイヤに固定されたフィルターを操作するシステムであって、
基端部、先端部および外部シャフトルーメンを構成する壁を有する外部シャフトと、
シャフトルーメン内に摺動するように配置された内部シャフトと、
内部シャフトに固定されたグリッパーと、
同グリッパーは、内部シャフトおよび外部シャフト間の軸方向における相対的な移動により、グリッパーがガイドワイヤを把持するように構成されることとからなるシステム。
【請求項２５】
グリッパーは、内部シャフトおよび外部シャフト間の軸方向における相対的な移動により、押圧されて湾曲した形状を有するように構成される請求項１に記載のシステム。
【請求項２６】
グリッパーは、内部シャフトおよび外部シャフト間の軸方向における相対的な移動により、ガイドワイヤを把持するように構成される請求項１に記載のシステム。
【請求項２７】
グリッパーは１組の把持具からなる請求項１に記載のシステム。
【請求項２８】
グリッパーは口金からなる請求項１に記載のシステム。
【発明の詳細な説明】
【技術分野】
【０００１】
本発明は、閉塞もしくは狭窄した血管を治療するための装置および方法に関する。より具体的には、本発明は、閉塞もしくは狭窄箇所を取り除くための治療中に、血管内にフィルターを一時的に配置するための装置および方法に関する。
【背景技術】
【０００２】
治療方法の中でも、血管形成、アテローム切除およびステント留置は冠動脈病巣の治療として一般に認められてきた。これらの治療は、しばしば冠動脈バイパスに代えて行われている。しかしながら、冠動脈病巣をバイパスするために使用される伏在静脈グラフトは、それ自体が病巣を発生させてしまうこともある。これらの病巣もまた、血管形成、アテローム切除および／もしくはステント留置などの低侵襲的処置によって治療されることがある。
【０００３】
病巣がこのような低侵襲的で経皮的な方法によって治療される場合、血小板の粒子、塞栓物質もしくは他の物質が病巣から遊離して、より狭い冠動脈の先端方向に浮遊していくこともある。低侵襲的方法がネイティブ動脈において行われる場合、治療中に遊離した血小板もしくは塞栓物質は、ほとんど塞栓症を引き起こすことはない。しかしながら、伏在静脈グラフトを使用して治療が行われる場合は、血小板もしくは塞栓物質が静脈グラフトから分離するため、塞栓症の発生率がネイティブ動脈よりも実質的に高くなる。
【０００４】
塞栓症の発生率の増加は、少なくとも一つにはネイティブ動脈に対してバイパスグラフトの直径が大きいことが原因していると思われる。グラフトの直径がより大きくなることにより、グラフトを通過する血流速度がネイティブ動脈の場合よりも遅くなる。さらに、静脈グラフトの血小板および塞栓物質は、ネイティブ動脈内で見つかるものよりもより脆弱である。
【０００５】
ネイティブ動脈および静脈グラフトの治療に伴う塞栓症における違いは周知であり、静脈グラフト病巣の治療に伴う塞栓症を減少させる技術の開発が望まれる。さらに、ステント留置もしくは他の低侵襲的治療が頸動脈において行われる場合、血小板および塞栓物質が脳へ流されることを抑制することが望ましい。
【発明の開示】
【発明が解決しようとする課題】
【０００６】
本発明は、閉塞もしくは狭窄した血管を治療するための装置および方法に関する。具体的には、本発明は、閉塞もしくは狭窄部分を取り除くための治療中に、血管内にフィルターを一時的に配置するための装置および方法に関する。
【課題を解決するための手段】
【０００７】
本発明によるシステムは、基端部、先端部および外部シャフトルーメンを構成する壁を有する外部シャフトを特徴とする。システムはまた、外部シャフトルーメン内に配置されたストッパ機構を有する。ストッパ機構は、ガイドワイヤおよび外部シャフト間の軸方向における相対的な移動を任意に防止するように構成されることが好ましい。
【０００８】
本発明の特定の実施形態において、基端ガイドワイヤポートが外部シャフトの壁を貫通して延びることにより、ガイドワイヤが同壁を通過しシャフトルーメン内に部分的に配置される。好適な実施形態においては、ストッパ機構は基端ガイドワイヤポートの先端方向に配置される。
【０００９】
本発明の一実施形態において、ストッパ機構はガイドワイヤに機械的に係合するように構成される。他の実施形態においては、ストッパ機構はガイドワイヤに摩擦係合するように構成される。さらに別の実施形態においては、ストッパ機構はガイドワイヤに圧縮力を加えるように構成される。
【００１０】
ストッパ機構はストッパ部材を有してもよい。特定の実施形態において、ストッパ部材は環を備えており、ストッパ機構はガイドワイヤに固定されたストッパを有する。一実施形態においては、ストッパ部材は内径部分を有する開口部を構成し、ストッパは外径部分を有する。好適な実施形態においては、ストッパ部材は内径部分を有する開口部を構成し、ストッパは、ストッパ部材によって構成される開口部の内径部分よりも概して大きい外径部分を有する。
【００１１】
特定の実施形態において、ストッパ部材は先端合わせ面を有し、ストッパは基端合わせ面を有する。好適な実施形態においては、ストッパおよびストッパ部材は、ストッパの基端合わせ面がストッパ部材の先端合わせ面に接触して配置するように構成される。
【００１２】
特定の実施形態において、システムは外部シャフトルーメン内に摺動するように配置された内部シャフトを有する。グリッパーは内部シャフトと外部シャフトとの間に動作可能に連結される。好ましくは、内部シャフトおよび外部シャフト間の軸方向における相対的な移動により、グリッパーがガイドワイヤを把持するように構成される。特定の実施形態において、グリッパーは口金を有する。
【００１３】
特定の実施形態において、グリッパーは外部シャフトに固定される。他の実施形態においては、グリッパーは内部シャフトに固定される。
【発明を実施するための最良の形態】
【００１４】
以下の詳細な説明は図面を参照しながら進めていくが、異なる図面における同様の要素については同様の符号を付す。図面は必ずしも正しい縮尺で描かれているとは限らず、選ばれた実施形態を描いたものであり、本発明の範囲を限定することを意図していない。場合によっては、図面は極めて略して描かれていることもある。様々な要素に対して構造、材料、寸法および製法の例が与えられている。当業者であれば、与えられた多くの例が利用可能な適切な代替を有していることを理解するであろう。
【００１５】
図１は、本発明の一実施形態によるフィルター操作システム１００の一部破断側面図である。フィルター操作システム１００は、外部シャフトルーメン１０６を構成する外部シャフト１０４を有するカテーテル１０２、および外部シャフトルーメン１０６内に摺動するように配置された内部シャフト１０８を備える。
【００１６】
外部シャフト１０４は、基端部１５８および先端部１６０を有する。外部シャフト１０４は、近位部１２０、遠位部１２２、および同近位部１２０と遠位部１２２との間に配置された長手方向に収縮可能な部分１２４を有する。図１の実施形態において、フィルター操作システム１００のフィルター１２６は、外部シャフト１０４の遠位部１２２によって構成される外部シャフトルーメン１０６の一部内に配置される。図１はフィルター１２６の収縮した形状を示す。
【００１７】
フィルター操作システム１００は、フィルター１２６を血管内１２８に配置するために使用されることが望ましい。フィルター操作システム１００はまた、血管内に配置されたフィルターを回収するために使用されてもよい。好適な実施形態において、フィルター１２６は血管内１２８に配置される時は拡張した形状を有し、カテーテル１０２の外部シャフトルーメン１０６内に配置される時は収縮した形状を有する。
【００１８】
図１のフィルター操作システム１００は、フィルター１２６に固定された基端部を有するガイドワイヤ１３０を備える。ガイドワイヤ１３０は内部シャフト１０８によって構成される内部シャフトルーメン１３２を貫通して延びる。フィルター操作システム１００はまた、外部シャフト１０４の近位部１２０に対してガイドワイヤ１３０の長手方向の移動を任意に抑制するためのストッパ機構１３４を備える。
【００１９】
図１の実施形態において、ストッパ機構１３４は、ガイドワイヤ１３０を任意に把持するように構成されたグリッパー１３６を有する。グリッパー１３６は口金１３８からなる。グリッパー１３６は、本発明の趣旨および範囲から逸脱することなく、様々な把持要素からなってもよい。使用目的によって好適な把持要素の例としては、１組の対向する把持具および弾性のあるブッシングが含まれる。
【００２０】
図２は、図１のフィルター操作システム１００の部分拡大断面図である。図２においては、口金１３８の静止状態が示されている。口金１３８はまた、収縮状態においてガイドワイヤ１３０を把持する。
【００２１】
図２において、口金１３８は複数の把持具１４０を有し、各把持具はテイパー部１４２およびヒンジ部１４４を備える。内部シャフト１０８は合わせテイパー１４６を有する。好適な実施形態において、内部シャフト１０８および外部シャフト１０４の近位部１２０間の軸方向における相対的な移動により、口金１３８の把持具１４０がガイドワイヤ１３０に対して任意に押圧される。図２の実施形態において、内部シャフト１０８を外部シャフト１０４の近位部１２０に対して先端方向に押圧することにより、口金１３８の把持具１４０はガイドワイヤ１３０を把持する。
【００２２】
図３は、図２に示されるフィルター操作システム１００の他の部分拡大断面図である。図３の実施形態において、内部シャフト１０８は外部シャフト１０４に対して先端方向に移動し、口金１３８の把持具１４０はガイドワイヤ１３０に対して押圧される。口金１３８は押圧されて収縮した状態になる。
【００２３】
図３において、グリッパー１３６はホール１４８を構成する。連接型ロッド１５０はホール１４８を貫通して延びる。連接型ロッド１５０は、外部シャフト１０４の長手方向に収縮可能な部分１２４を任意に収縮および拡張させるために使用してもよい。
【００２４】
図１において、連接型ロッド１５０の先端部は環１５２に固定されていることが望ましい。環１５２は、長手方向に収縮可能な部分１２４の先端方向にある外部シャフト１０４の遠位部１２２に固定される。連接型ロッド１５０の基端部はスライダー１５４に固定されている。スライダー１５４は、外部シャフト１０４の基端部１５８の周囲に配置されるハブ１５６に摺動するように係合して配置される。好適な実施形態において、スライダー１５４および連接型ロッド１５０は、外部シャフト１０４の長手方向に収縮可能な部分１２４を任意に収縮および拡張させるために使用してもよい。
【００２５】
図４は、図１のフィルター操作システム１００の他の一部破断側面図である。図４の実施形態において、外部シャフト１０４の長手方向に収縮可能な部分１２４は、ハブ１５６に対してスライダー１５４を基端方向に押圧することによって収縮する。外部シャフト１０４の先端部１６０は、フィルター１２６の基端方向に位置し、フィルター１２６は、外部シャフトルーメン１０６の外側に配置される。図４においては、フィルター１２６は、外部シャフトルーメン１０６の外側にある時には拡張状態を有することが望ましい。
【００２６】
図４のフィルター操作システム１００は、血管１２８からフィルター１２６を回収するために使用される。例えば、フィルター１２６は、同フィルター１２６の基端方向のガイドワイヤ１３０を任意に把持し、スライダー１５４を先端方向に押すことにより長手方向に収縮可能な部分１２４を拡張させて、血管１２８から回収される。長手方向に収縮可能な部分１２４を拡張させることにより、外部シャフト１０４の遠位部１２２は、フィルター１２６上に押圧され、フィルター１２６は外部シャフトルーメン１０６内に配置される。好適な実施形態において、フィルター１２６は血管１２８内に配置される時は拡張した形状を有し、カテーテル１０２の外部シャフトルーメン１０６内に配置される時は収縮した形状を有する。フィルター操作システム１００はまた、血管内のフィルターを配置するために使用してもよい。
【００２７】
図５は、本発明の他の実施形態によるフィルター操作システム２００の一部破断側面図である。フィルター操作システム２００は、外部シャフトルーメン２０６を構成する外部シャフト２０４を有するカテーテル２０２からなる。内部シャフト２０８は外部シャフトルーメン２０６内に摺動するように配置される。
【００２８】
外部シャフト２０４は、近位部２２０、遠位部２２２および同近位部２２０と遠位部２２２との間に配置された長手方向に収縮可能な部分２２４を有する。外部シャフト２０４の近位部２２０の壁２６２は、基端ガイドワイヤポート２６４を構成する。カテーテル２０２はまた、外部シャフト２０４の近位部２２０の壁２６２に固定された第１端部２７０および内部シャフト２０８に近接する外部シャフトルーメン２０６内に配置された第２端部２７２を有する管状部材２６６を備える。管状部材２６６は、基端ガイドワイヤポート２６４に連通するガイドワイヤルーメン２６８を構成する。
【００２９】
本発明の趣旨および範囲から逸脱することなく、基端ガイドワイヤポート２６４の様々な実施形態が可能である。例えば、基端ガイドワイヤポート２６４は、外部シャフト２０４の近位部２２０の壁２６２によって構成されてもよい。他の例としては、基端ガイドワイヤポート２６４は、管状部材２６６の第１端部２７０によって構成されてもよい。
【００３０】
図５において、カテーテル２０２の内部シャフト２０８は、内部シャフトルーメン２３２を構成することが望ましい。内部シャフト２０８の壁は、内部シャフトルーメン２３２と連通する開口部２７４を構成する。ガイドワイヤ２３０は、基端ガイドワイヤポート２６４、ガイドワイヤルーメン２６８、開口部２７４および内部シャフトルーメン２３２の一部を貫通して延びる。
【００３１】
フィルター操作システム２００は、外部シャフト２０４の近位部２２０に対してガイドワイヤ２３０の長手方向の移動を任意に抑制するためのストッパ機構２３４を備える。図５の実施形態において、ストッパ機構２３４は、ガイドワイヤ２３０を任意に把持するように構成されたグリッパー２３６を有する。グリッパー２３６は口金２３８からなる。口金２３８は、先端ガイドワイヤポート２７６を構成する。ガイドワイヤ２３０は、先端ガイドワイヤポート２７６、内部シャフトルーメン２３２の一部、開口部２７４、ガイドワイヤルーメン２６８および基端ガイドワイヤポート２６４を貫通して延びる。
【００３２】
図５の実施形態において、先端ガイドワイヤポート２７６は、外部シャフト２０４の先端部２６０の基端方向に配置され、基端ガイドワイヤポート２６４は、先端ガイドワイヤポート２７６の基端方向に配置される。先端ガイドワイヤポート２７６および基端ガイドワイヤポート２６４は、長手方向に距離を隔てて配置される。好適な実施形態において、先端ガイドワイヤポート２７６と基端ガイドワイヤポート２６４との間の長手方向の距離は、約５５センチメートル未満である。特に好適な実施形態においては、基端ガイドワイヤポート２６４と先端ガイドワイヤポート２７６との間の長手方向の距離は、約４５センチメートル未満である。最も好適な実施形態においては、基端ガイドワイヤポート２６４と先端ガイドワイヤポート２７６との間の長手方向の距離は、約３５センチメートル未満である。
【００３３】
図５の実施形態において、フィルター操作システム２００のフィルター２２６は、外部シャフト２０４の遠位部２２２によって構成される外部シャフトルーメン２０６の一部に配置される。フィルター２２６は収縮した形状を有する。フィルター操作システム２００のカテーテル２０２は、血管２２８内にフィルター２２６を配置するために使用してもよい。例えば、フィルター２２６の基端方向のガイドワイヤ２３０を把持し、長手方向に収縮可能な部分２２４を収縮させることにより、フィルター２２６を配置してもよい。このようにして、外部シャフト２０４の遠位部２２２をフィルター２２６から引き離して、フィルター２２６を外部シャフト２０４の外側に配置させる。好適な実施形態において、フィルター２２６は、外部シャフトルーメン２０６の外側に配置される時は拡張した形状を有し、カテーテル２０２の外部シャフトルーメン２０６内に配置される時は収縮した形状を有する。フィルター操作システム２００はまた、血管内に配置されたフィルターを回収するために使用してもよい。
【００３４】
図６は、図５のフィルター操作システム２００の他の一部破断側面図である。図６の実施形態において、フィルター２２６は、血管２２８内に配置される。例えば、フィルター２２６は、グリッパー２３６でガイドワイヤ２３０を把持し、外部シャフト２０４の長手方向に収縮可能な部分２２４を拡張させることにより回収される。好適な実施形態において、フィルター２２６は血管２２８内に配置される時は拡張した形状を有し、カテーテル２０２の外部シャフトルーメン２０６内に配置される時は収縮した形状を有する。
【００３５】
図６において、連接型ロッド２５０は、外部シャフト２０４によって構成される外部シャフトルーメン２０６内に配置されることが望ましい。連接型ロッド２５０の先端部は環２５２に固定される。環２５２は、長手方向に収縮可能な部分２２４の先端方向における外部シャフト２０４の遠位部２２２に固定される。連接型ロッド２５０の基端部は、スライダー２５４に固定される。スライダー２５４は、外部シャフト２０４の基端部２５８の周囲に配置されたハブ２５６に摺動するように係合して配置される。好適な実施形態において、スライダー２５４および連接型ロッド２５０は、外部シャフト２０４の長手方向に収縮可能な部分２２４を任意に収縮させるために使用してもよい。
【００３６】
ガイドワイヤ２３０の先端部は、フィルター２２６に固定される。図６の実施形態において、ガイドワイヤ２３０は、先端ガイドワイヤポート２７６、内部シャフトルーメン２３２の一部、開口部２７４、ガイドワイヤルーメン２６８および基端ガイドワイヤポート２６４に貫通して延びる。ストッパ機構２３４は、フィルター２２６の基端方向の箇所においてガイドワイヤ２３０を任意に把持するために使用してもよい。
【００３７】
図７は、本発明の他の実施形態によるフィルター操作システム３００の一部破断側面図である。フィルター操作システム３００は、外部シャフトルーメン３０６を構成する外部シャフト３０４を有するカテーテル３０２からなる。外部シャフト３０４は、近位部３２０、遠位部３２２および同近位部３２０と遠位部３２２との間に配置された長手方向に収縮可能な部分３２４を有する。フィルター３２６は、外部シャフト３０４の遠位部３２２によって構成される外部シャフトルーメン３０６の一部に配置される。図７の実施形態において、フィルター３２６は収縮した状態を有する。
【００３８】
フィルター操作システム３００は、血管３２８内にフィルター３２６を配置するために使用してもよい。フィルター操作システム３００はまた、血管内に配置されたフィルターを回収するために使用してもよい。好適な実施形態において、フィルター３２６は、血管３２８内に配置される時は拡張した形状を有し、カテーテル３０２の外部シャフトルーメン３０６内に配置される時は収縮した形状を有する。
【００３９】
図７のフィルター操作システム３００は、外部シャフトルーメン３０６内に摺動するように配置された内部シャフト３０８を有する。ガイドワイヤ３３０は、内部シャフト３０８によって構成される内部シャフトルーメン３３２内に摺動するように配置される。内部シャフト３０８に対するガイドワイヤ３３０の長手方向の移動は、ストッパ機構３３４によって任意に抑制される。図７の実施形態において、ストッパ機構３３４は、ガイドワイヤ３３０を任意に把持するように構成された内部シャフト３０８のグリッパー部３７８を有する。
【００４０】
図８は、図７のフィルター操作システム３００の他の部分拡大断面図である。図８において、内部シャフト３０８のグリッパー部３７８は、静止状態を有する。内部シャフト３０８のグリッパー部３７８はまた、収縮した状態においてガイドワイヤ３３０を把持する。
【００４１】
図８において、内部シャフト３０８のグリッパー部３７８は、複数の把持具３４０を備え、各把持具はテイパー部３４２およびヒンジ部３４４を有する。ストッパ機構３３４は、合わせテイパー３４６を有する閉鎖スリーブ３８０を備える。図８の実施形態において、閉鎖スリーブ３８０は、外部シャフト３０４の近位部３２０に固定されることが望ましい。好適な実施形態において、内部シャフト３０８および外部シャフト３０４の近位部３２０間の相対移動により、内部シャフト３０８のグリッパー部３７８の把持具３４０をガイドワイヤ３３０に対して任意に押圧する。内部シャフト３０８を外部シャフト３０４の近位部３２０に対して基端方向に押圧することにより、内部シャフト３０８のグリッパー部３７８の把持具３４０はガイドワイヤ３３０を把持する。
【００４２】
図９は、図８に示されるフィルター操作システム３００の他の部分拡大断面図である。図９の実施形態において、内部シャフト３０８は、外部シャフト３０４に対して基端方向に移動し、グリッパー部３７８の把持具３４０はガイドワイヤ３３０に対して押圧される。内部シャフト３０８のグリッパー部３７８は、押圧されて収縮した形状となる。
【００４３】
図９において、閉鎖スリーブ３８０はホール３４８を構成することが望ましい。連接型ロッド３５０はホール３４８を貫通して延びる。連接型ロッド３５０は、外部シャフト３０４の長手方向に収縮可能な部分３２４を任意に収縮および拡張させるために使用してもよい。
【００４４】
再度、図７において、連接型ロッド３５０の先端部は環３５２に固定されていることが望ましい。環３５２は、長手方向に収縮可能な部分３２４の先端方向の外部シャフト３０４の遠位部３２２に固定される。連接型ロッド３５０の基端部はスライダー３５４に固定されている。スライダー３５４は、外部シャフト３０４の基端部３５８の周囲に配置されるハブ３５６に対して摺動可能に係合して配置される。好適な実施形態において、スライダー３５４および連接型ロッド３５０は、外部シャフト３０４の長手方向に収縮可能な部分３２４を任意に収縮および拡張させるために使用してもよい。
【００４５】
図１０は、図７のフィルター操作システム３００の他の一部破断側面図である。図１０の実施形態において、外部シャフト３０４の長手方向に収縮可能な部分３２４は、スライダー３５４をハブ３５６に対して基端方向に押圧することによって収縮される。外部シャフト３０４の先端部３６０はフィルター３２６の基端方向に位置し、フィルター３２６は外部シャフトルーメン３０６の外側に配置される。フィルター３２６は、外部シャフトルーメン３０６の外側に配置される時は、拡張した形状を有することが望ましい。
【００４６】
図１０のフィルター操作システム３００は、血管３２８からフィルター３２６を回収するために使用してもよい。例えば、フィルター３２６の基端方向のガイドワイヤ３３０を任意に把持し、スライダー３５４を先端方向に押すことにより長手方向に収縮可能な部分３２４を拡張させて、フィルター３２６を回収してもよい。長手方向に収縮可能な部分３２４を拡張させることにより、外部シャフト３０４の遠位部３２２は、フィルター３２６上に押圧され、フィルター３２６は外部シャフトルーメン３０６内に配置される。好適な実施形態において、フィルター３２６は、血管３２８内に配置される時は拡張した形状を有し、カテーテル３０２の外部シャフトルーメン３０６内に配置される時は収縮した形状を有する。フィルター操作システム３００はまた、血管内のフィルターを配置するために使用してもよい。
【００４７】
図１１は、本発明の他の実施形態によるフィルター操作システム４００の一部破断側面図である。フィルター操作システム４００は、外部シャフトルーメン４０６を構成する外部シャフト４０４を有するカテーテル４０２からなる。外部シャフト４０４は、近位部４２０、遠位部４２２および同近位部４２０と遠位部４２２との間に配置された長手方向に収縮可能な部分４２４を有する。近位部４２０の壁４６２は、基端ガイドワイヤポート４６４を構成する。カテーテル４０２はまた、外部シャフト４０４の近位部４２０の壁４６２に固定された第１端部４７０および内部シャフト４０８に近接する外部シャフトルーメン４０６内に配置された第２端部４７２を有する管状部材４６６を備える。管状部材４６６は、基端ガイドワイヤポート４６４にたいして連通するガイドワイヤルーメン４６８を構成する。
【００４８】
本発明の趣旨および範囲から逸脱することなく、基端ガイドワイヤポート４６４の様々な実施形態が可能である。例えば、基端ガイドワイヤポート４６４は、外部シャフト４０４の近位部４２０の壁４６２によって構成されてもよい。他の例としては、基端ガイドワイヤポート４６４は、管状部材４６６の第１端部４７０によって構成されてもよい。
【００４９】
図１１のフィルター操作システム４００は、外部シャフトルーメン４０６内に摺動するように配置された内部シャフト４０８を有する。カテーテル４０２の内部シャフト４０８は、内部シャフトルーメン４３２を構成することが望ましい。内部シャフト４０８の壁は、内部シャフトルーメン４３２と連通する開口部４７４を構成する。ガイドワイヤ４３０は、基端ガイドワイヤポート４６４、ガイドワイヤルーメン４６８、開口部４７４および内部シャフトルーメン４３２の一部を貫通して延びる。
【００５０】
図１１の実施形態において、内部シャフト４０８に対するガイドワイヤ４３０の長手方向の移動は、ストッパ機構４３４によって任意に抑制される。ストッパ機構４３４は、ガイドワイヤ４３０を任意に把持するように構成された内部シャフト４０８のグリッパー部４７８を有する。内部シャフト４０８のグリッパー部４７８は、先端ガイドワイヤポート４７６を構成する。ガイドワイヤ４３０は、先端ガイドワイヤポート４７６、内部シャフトルーメン４３２の一部、開口部４７４、ガイドワイヤルーメン４６８および基端ガイドワイヤポート４６４を貫通して延びる。
【００５１】
図１１の実施形態において、先端ガイドワイヤポート４７６は、外部シャフト４０４の先端部４６０の基端方向に配置され、基端ガイドワイヤポート４６４は、先端ガイドワイヤポート４７６の基端方向に配置される。先端ガイドワイヤポート４７６および基端ガイドワイヤポート４６４は、長手方向に距離を隔てて配置される。好適な実施形態において、基端ガイドワイヤポート４６４と先端ガイドワイヤポート４７６との間の長手方向の距離は、約５５センチメートル未満である。特に好適な実施形態においては、基端ガイドワイヤポート４６４と先端ガイドワイヤポート４７６との間の長手方向の距離は、約４５センチメートル未満である。最も好適な実施形態においては、基端ガイドワイヤポート４６４と先端ガイドワイヤポート４７６との間の長手方向の距離は、約３５センチメートル未満である。
【００５２】
図１１実施形態において、フィルター操作システム４００のフィルター４２６は、外部シャフト４０４の遠位部４２２によって構成される外部シャフトルーメン４０６の一部に配置される。フィルター４２６は収縮した状態を有する。フィルター操作システム４００のカテーテル４０２は、血管４２８内にフィルター４２６を配置するために使用してもよい。例えば、フィルター４２６の基端方向のガイドワイヤ４３０を把持し、長手方向に収縮可能な部分４２４を収縮させることにより、フィルター４２６を配置してもよい。このようにして、外部シャフト４０４の遠位部４２２をフィルター４２６から引き離して、フィルター４２６を外部シャフトルーメン４０６の外側に配置させる。好ましくは、フィルター４２６は、外部シャフトルーメン４０６の外側に配置される時は拡張した形状を有し、カテーテル４０２の外部シャフトルーメン４０６内に配置される時は収縮した形状を有する。フィルター操作システム４００はまた、血管内に配置されたフィルターを回収するために使用されてもよい。
【００５３】
図１２は、図１１のフィルター操作システム４００の他の部分拡大断面図である。図１２の実施形態において、フィルター４２６は、血管４２８内に配置される。例えば、フィルター４２６は、内部シャフトのグリッパー部４７８でガイドワイヤ４３０を把持し、外部シャフト４０４の長手方向に収縮可能な部分４２４を拡張させることにより回収される。好適な実施形態において、フィルター４２６は、血管４２８内に配置される時は拡張した形状を有し、カテーテル４０２の外部シャフトルーメン４０６内に配置される時は収縮した形状を有する。
【００５４】
図１２において、連接型ロッド４５０は、外部シャフト４０４によって構成される外部シャフトルーメン４０６内に配置されることが望ましい。連接型ロッド４５０の先端部は、環４５２に固定されていることが望ましい。環４５２は、長手方向に収縮可能な部分４２４の先端方向の外部シャフト４０４の遠位部４２２に固定される。連接型ロッド４５０の基端部は、スライダー４５４に固定されている。スライダー４５４は、外部シャフト４０４の基端部４５８の周囲に配置されるハブ４５６に摺動するように係合して配置される。好適な実施形態において、スライダー４５４および連接型ロッド４５０は、外部シャフト４０４の長手方向に収縮可能な部分４２４を任意に収縮させるために使用してもよい。
【００５５】
ガイドワイヤ４３０の先端部は、フィルター４２６に固定される。図１２の実施形態において、ガイドワイヤ４３０は、先端ガイドワイヤポート４７６、内部シャフトルーメン４３２の一部、開口部４７４、ガイドワイヤルーメン４６８および基端ガイドワイヤポート４６４を貫通して延びる。ストッパ機構４３４は、フィルター４２６の基端方向の箇所でガイドワイヤ４３０を任意に把持するために使用される。
【００５６】
図１３は、本発明の他の実施形態によるフィルター操作システム５００の一部破断側面図である。フィルター操作システム５００は、外部シャフトルーメン５０６を構成する外部シャフト５０４を有するカテーテル５０２からなる。外部シャフト５０４は、近位部５２０、遠位部５２２および同近位部５２０と遠位部５２２との間に配置された長手方向に収縮可能な部分５２４を有する。近位部５２０の壁５６２は、基端ガイドワイヤポート５６４を構成する。カテーテル５０２はまた、外部シャフト５０４の近位部５２０の壁５６２に固定された第１端部５７０、およびストッパ部材５８２に固定された第２端部５７２を有する管状部材５６６を備える。ストッパ部材５８２は先端ガイドワイヤポート５７６を構成する。管状部材５６６は、先端ガイドワイヤポート５７６および基端ガイドワイヤポート５６４と連通するガイドワイヤルーメン５６８を構成する。図１３において、ガイドワイヤ５３０は、先端ガイドワイヤポート５７６、ガイドワイヤルーメン５６８および基端ガイドワイヤポート５６４を貫通して延びる。
【００５７】
図１３の実施形態において、ストッパ部材５８２に対するガイドワイヤ５３０の長手方向の移動は、ストッパ機構５３４によって任意に抑制される。ストッパ機構５３４は、ストッパ部材５８２およびガイドワイヤ５３０に固定されたストッパ５８４を有する。ストッパ５８４は径方向に拡大した部分からなる。好適な実施形態において、ストッパ５８４は、約０．０１４インチ（約０．０３６センチメートル）の外径部分を有し、ガイドワイヤ５３０は、約０．０１０インチ（０．０２５センチメートル）の外径部分を有する。ストッパ５８４はストッパ部材５８２に接触して配置される。
【００５８】
図１３の実施形態において、先端ガイドワイヤポート５７６は、外部シャフト５０４の先端部５６０の基端方向に配置され、基端ガイドワイヤポート５６４は、先端ガイドワイヤポート５７６の基端方向に配置される。先端ガイドワイヤポート５７６および基端ガイドワイヤポート５６４は、長手方向に距離を隔てて配置される。好適な実施形態において、基端ガイドワイヤポート５６４と先端ガイドワイヤポート５７６との間の長手方向の距離は、約５５センチメートル未満である。特に好適な実施形態においては、基端ガイドワイヤポート５６４と先端ガイドワイヤポート５７６との間の長手方向の距離は、約４５センチメートル未満である。最も好適な実施形態においては、基端ガイドワイヤポート５６４と先端ガイドワイヤポート５７６との間の長手方向の距離は、約３５センチメートル未満である。
【００５９】
図１３の実施形態において、フィルター操作システム５００のフィルター５２６は、外部シャフト５０４の遠位部５２２によって構成される外部シャフトルーメン５０６の一部に配置される。フィルター５２６は収縮した状態を有する。フィルター操作システム５００のカテーテル５０２は、血管５２８内にフィルター５２６を配置するために使用してもよい。例えば、長手方向に収縮可能な部分５２４を収縮させることにより、フィルター５２６を配置してもよい。このようにして、外部シャフト５０４の遠位部５２２をフィルター５２６から引き離して、フィルター５２６を外部シャフトルーメン５０６の外側に配置させる。好ましくは、フィルター５２６は、外部シャフトルーメン５０６の外側に配置される時は拡張した形状を有し、カテーテル５０２の外部シャフトルーメン５０６内に配置される時は収縮した形状を有する。フィルター操作システム５００はまた、血管内に配置されたフィルターを回収するために使用されてもよい。
【００６０】
図１４は、図１３のフィルター操作システム５００の他の部分拡大断面図である。図１４の実施形態において、フィルター５２６は、血管５２８内に配置される。例えば、フィルター５２６は、血管５２８内に配置される時は拡張した形状を有し、カテーテル５０２の外部シャフトルーメン５０６内に配置される時は収縮した形状を有する。
【００６１】
図１４において、連接型ロッド５５０は、外部シャフト５０４によって構成される外部シャフトルーメン５０６内に配置されることが望ましい。連接型ロッド５５０の先端部は環５５２に固定される。環５５２は、長手方向に収縮可能な部分５２４の先端方向の外部シャフト５０４の遠位部５２２に固定される。連接型ロッド５５０の基端部は、スライダー５５４に固定されている。スライダー５５４は、外部シャフト５０４の基端部５５８の周囲に配置されるハブ５５６に摺動するように係合して配置される。好適な実施形態において、スライダー５５４および連接型ロッド５５０は、外部シャフト５０４の長手方向に収縮可能な部分５２４を任意に収縮させるために使用してもよい。
【００６２】
このように本発明の好適な実施形態について説明してきたが、添付の請求項の範囲においてさらに他の実施形態が可能であることは当業者によって容易に理解されるであろう。本明細書によってカバーされた本発明の数多くの効果は、上記の説明において列挙した。しかしながら、本開示は多くの点において説明的なものでしかないことが理解されよう。詳細において、とりわけ形状、寸法および部品の構成に関して、本発明の範囲を超えない限りにおいて変更を行うことができる。言うまでもなく、本発明の範囲は、添付の請求項を表現する文言において画定される。
【図面の簡単な説明】
【００６３】
【図１】本発明の一実施形態によるフィルター操作システムの一部破断側面図。
【図２】図１のフィルター操作システムの部分拡大断面図。
【図３】図２に示されるフィルター操作システムの他の部分拡大断面図。
【図４】図１のフィルター操作システムの他の一部破断側面図。
【図５】本発明の他の実施形態によるフィルター操作システムの一部破断側面図。
【図６】図５のフィルター操作システムの他の一部破断側面図。
【図７】本発明の一実施形態によるフィルター操作システムの一部破断側面図。
【図８】図７のフィルター操作システムの部分拡大断面図。
【図９】図８に示されるフィルター操作システムの他の部分拡大断面図。
【図１０】図７のフィルター操作システムの他の一部破断側面図。
【図１１】本発明の他の実施形態によるフィルター操作システムの一部破断側面図。
【図１２】図１１のフィルター操作システムの他の一部破断側面図。
【図１３】本発明の他の実施形態によるフィルター操作システムの一部破断側面図。
【図１４】図１３のフィルター操作システムの他の一部破断側面図。
【国際公開パンフレット】
2005506104.tif 000003
2005506104.tif 000004
2005506104.tif 000005
2005506104.tif 000006
2005506104.tif 000007
2005506104.tif 000008
2005506104.tif 000009
2005506104.tif 000010
2005506104.tif 000011
2005506104.tif 000012
2005506104.tif 000013
2005506104.tif 000014
2005506104.tif 000015
2005506104.tif 000016
2005506104.tif 000017
2005506104.tif 000018
2005506104.tif 000019
2005506104.tif 000020
2005506104.tif 000021
2005506104.tif 000022
2005506104.tif 000023
2005506104.tif 000024
2005506104.tif 000025
2005506104.tif 000026
2005506104.tif 000027
2005506104.tif 000028
2005506104.tif 000029
2005506104.tif 000030
2005506104.tif 000031
2005506104.tif 000032
2005506104.tif 000033
2005506104.tif 000034
2005506104.tif 000035
2005506104.tif 000036
【国際公開パンフレット（コレクトバージョン）】
2005506104.tif 000037
【国際調査報告】
2005506104.tif 000038
2005506104.tif 000039